(57)【特許請求の範囲】
【請求項１】
枠体内に障子を開閉自在に納め、前記枠体は上下枠と左右の縦枠とを方形状に枠組みしてなり、前記障子は上下框と左右の縦框とを方形状に框組みした框体にパネル体を納めてなるサッシにおいて、
前記枠体の内周面または前記框体の外周面には、前記枠体の内周面の場合は前記框体の外周面、前記框体の外周面の場合は前記枠体の内周面と対向する対向面部を上下左右の四周に渡って有した遮炎壁部が設けられ、該遮炎壁部は前記障子の開閉に干渉しないように形成されると共に、前記対向面部は、前記上下框と左右の縦框が、対向する枠体の内周面に接近した際に、前記框体を室内側に引き寄せるように形成されることを特徴とするサッシ。
【請求項２】
前記遮炎壁部の対向面部は、室外側にかけて内周側に向かう傾斜状の傾斜面部を有することを特徴とする請求項１記載のサッシ。
【請求項３】
前記框体の外周面には前記傾斜面部と同じ向きに傾斜して対向する框側傾斜面部が形成されることを特徴とする請求項２記載のサッシ。
【請求項４】
前記枠体と框体は上下左右の四周に渡り気密材を介して当接し、前記遮炎壁部は前記気密材と見込方向で離隔した位置に形成されることを特徴とする請求項１〜３のいずれか１項に記載のサッシ。
【請求項５】
前記気密材は前記框体の室内端部と室外端部のそれぞれに設けられ、前記遮炎壁部は前記枠体の見込方向中間位置に形成されることを特徴とする請求項４記載のサッシ。
【発明の詳細な説明】
【技術分野】
【０００１】
本発明は、建物開口部に設けられる枠体内に障子を開閉自在に納めたサッシに関し、特に火災発生時に高温に晒されても枠体と障子の間の隙間を遮蔽して空気や火炎を貫通させないようにしたサッシに関する。
【背景技術】
【０００２】
建物開口部に設けられるサッシにおいて、枠体内に障子を開閉自在に納めて構成した開き窓サッシが広く用いられている。開き窓サッシとしては、例えば障子のいずれかの端縁を吊り元側とし、この吊り元側の端縁と対向する端縁を戸先側として、障子が枠体に対して回動自在となるように支持されてなる辷り出し窓サッシなどがある。このような開き窓サッシにおいては、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
アルミニウムを用いたサッシにおいては、火災時に火炎を受けることにより、熱伸びが生じると共に、加熱された側に向かって反りが生じる。開き窓サッシでは、障子の戸先側に締まり金具が設けられて、障子を閉塞した際にこれを室内側に引き寄せるようになっているため、戸先側については反りを抑えることができるが、吊り元側については反りを抑制することができない。このため、吊り元側にも反りを抑制する機構を設けたものが知られている。このような建具が特許文献１に開示されている。
【先行技術文献】
【特許文献】
【０００４】
【特許文献１】特開２００８−１０６５６８号公報
【発明の概要】
【発明が解決しようとする課題】
【０００５】
しかし、従来のサッシでは、締まり金具の位置や数によっては、熱伸びに伴う反りを十分に規制できないことがあり、枠体と障子の間に隙間を生じて、空気や火炎がサッシを貫通する可能性があった。したがって、火災発生時に反りが生じても空気や火炎が室内外に貫通しないようにすることが望まれていた。
【０００６】
本発明は前記課題を鑑みてなされたものであり、火災発生時に反りが生じても空気や火炎が室内外に貫通することを防止できるサッシを提供することを目的とする。
【課題を解決するための手段】
【０００７】
前記課題を解決するため、本発明に係るサッシは、枠体内に障子を開閉自在に納め、前記枠体は上下枠と左右の縦枠とを方形状に枠組みしてなり、前記障子は上下框と左右の縦框とを方形状に框組みした框体にパネル体を納めてなるサッシにおいて、
前記枠体の内周面または前記框体の外周面には、前記枠体の内周面の場合は前記框体の外周面、前記框体の外周面の場合は前記枠体の内周面と対向する対向面部を上下左右の四周に渡って有した遮炎壁部が設けられ、該遮炎壁部は前記障子の開閉に干渉しないように形成されると共に、前記対向面部は、前記上下框と左右の縦框が、対向する枠体の内周面に接近した際に、前記框体を室内側に引き寄せるように形成されることを特徴として構成されている。
【０００８】
また、本発明に係るサッシは、前記遮炎壁部の対向面部は、室外側にかけて内周側に向かう傾斜状の傾斜面部を有することを特徴として構成されている。
【０００９】
さらに、本発明に係るサッシは、前記框体の外周面には前記傾斜面部と同じ向きに傾斜して対向する框側傾斜面部が形成されることを特徴として構成されている。
【００１０】
さらにまた、本発明に係るサッシは、前記枠体と框体は上下左右の四周に渡り気密材を介して当接し、前記遮炎壁部は前記気密材と見込方向で離隔した位置に形成されることを特徴として構成されている。
【００１１】
そして、本発明に係るサッシは、前記気密材は前記框体の室内端部と室外端部のそれぞれに設けられ、前記遮炎壁部は前記枠体の見込方向中間位置に形成されることを特徴として構成されている。
【発明の効果】
【００１３】
本発明に係るサッシによれば、枠体の内周面には、框体の外周面と対向する対向面部を有した遮炎壁部が設けられ、遮炎壁部は障子の開閉に干渉しないように形成されると共に、対向面部は前記枠体の上下左右の四周に渡って見込方向位置が重なり合うように形成されることにより、サッシが高温に晒されて框体の外周面が枠体の内周面に接近した際に、四周に渡って枠体と框体との間を閉塞することができ、火炎や空気の貫通を防止することができて防火性能を高くすることができる。
【００１４】
また、本発明に係るサッシによれば、遮炎壁部の対向面部は、室外側にかけて内周側に向かう傾斜状の傾斜面部を有することにより、框体を室内側に引き寄せることができ、熱伸び及び反りの抑制をなすことができる。
【００１５】
さらに、本発明に係るサッシによれば、框体の外周面には傾斜面部と同じ向きに傾斜して対向する框側傾斜面部が形成されることにより、傾斜面部によって確実に框体を室内側に引き寄せすることができる。
【００１６】
さらにまた、本発明に係るサッシによれば、枠体と框体は上下左右の四周に渡り気密材を介して当接し、遮炎壁部は気密材と見込方向で離隔した位置に形成されることにより、気密材の位置と遮炎壁部とで少なくとも二重に閉塞することができ、より確実に火炎や空気の貫通を防止することができる。
【００１７】
そして、本発明に係るサッシによれば、気密材は框体の室内端部と室外端部のそれぞれに設けられ、遮炎壁部は枠体の見込方向中間位置に形成されることにより、三重に閉塞できると共に、仮に気密材の位置で隙間が空いても、遮炎壁部で確実に閉塞を維持することができる。
【００１８】
また、本発明に係るサッシによれば、框体の外周面には、枠体の内周面と対向する対向面部を有した遮炎壁部が設けられ、遮炎壁部は障子の開閉に干渉しないように形成されると共に、対向面部は框体の上下左右の四周に渡って見込方向位置が重なり合うように形成されることにより、サッシが高温に晒されて框体の外周面が枠体の内周面に接近した際に、四周に渡って枠体と框体との間を閉塞することができ、火炎や空気の貫通を防止することができて防火性能を高くすることができる。
【図面の簡単な説明】
【００１９】
【図１】サッシの縦断面図である。
【図２】サッシの横断面図である。
【図３】上枠付近の拡大縦断面図である。
【図４】火災発生時の状態における上枠付近の拡大縦断面図である。
【図５】下枠付近の拡大縦断面図である。
【図６】火災発生時の状態における下枠付近の拡大縦断面図である。
【図７】縦枠端部の拡大横断面図である。
【図８】火災発生時の状態における縦枠付近の拡大縦断面図である。
【図９】第２の形態の対向面部を有した縦枠付近の拡大横断面図である。
【図１０】第３の形態の対向面部を有した縦枠付近の拡大横断面図である。
【発明を実施するための形態】
【００２０】
本発明の実施形態について図面に沿って詳細に説明する。図１には本実施形態におけるサッシの縦断面図を、図２にはサッシの横断面図を、それぞれ示している。これら各図に示すように、本実施形態のサッシは、上枠１０と下枠１１及び左右の縦枠１２、１２を方形状に枠組みしてなる枠体１内に、上框２０と下框２１及び左右の縦框２２、２２を方形状に框組みしてなる框体３内にガラス板からなるパネル体４を納めてなる障子２を開閉自在に納めて構成されている。
【００２１】
本実施形態のサッシは、図２中右側の縦辺を吊り元側、左側の縦辺を戸先側とし、障子２の吊り元側の端縁に沿った回動軸を中心として、障子２が開閉自在となるように枠体１に支持された縦辷り出し窓サッシである。障子２の戸先側の縦框２２には、ハンドル５が設けられており、このハンドル５を持って障子２を開閉させることができると共に、障子２が閉じた状態でハンドル５を回動操作することにより、障子２を枠体１に対してロック、あるいはロック解除することができる。
【００２２】
枠体１を構成する上枠１０は、上框２０の外周面と対向する内周面部１０ａを備え、内周面部１０ａの吊り元側端部には、障子２を回動自在に支持する回動軸部品６が設けられている。また、内周面部１０ａの室内端部には、内周側に向かって突出する室内起立面部１０ｂが形成されている。室内起立面部１０ｂの下端部は上框２０の室内面部２０ｃと対向しており、その近傍に室内気密材１０ｃが設けられて上框２０に対して当接する。
【００２３】
枠体１を構成する下枠１１は、下框２１と対向する内周面部１１ａを備え、内周面部１１ａの吊り元側端部には、上枠１０と同様に障子２を回動自在に支持する回動軸部品６が設けられている。また、内周面部１１ａの室内端部には、室内起立面部１１ｂが形成されており、その上端部は下框２１の室内面部２１ｃと対向しており、その近傍に室内気密材１１ｃが設けられて下框２１に対して当接する。
【００２４】
枠体１を構成する縦枠１２は、縦框２２と対向する内周面部１２ａを備え、内周面部１２ａの室内端部には、内周側に向かって突出する室内起立面部１２ｂが形成されている。室内起立面部１２ｂの先端部は、縦框２２の室内面部２２ｃと対向しており、その近傍に室内気密材１２ｃが設けられて縦框２２に対して当接する。
【００２５】
框体３を構成する上框２０は、内周側にパネル体４の上辺を保持するパネル体収納部２０ａを備え、外周側には上枠１０の内周面と対向する外周面部２０ｂを備えている。上框２０の室内面部２０ｃは、前述のように上枠１０の室内起立面部１０ｂと対向して室内気密材１０ｃが当接する。また、上框２０の外周面部２０ｂの室外端部には、室外気密材２０ｅが設けられ、この室外気密材２０ｅは、上枠１０の内周面部１０ａ室外端部に当接する。
【００２６】
框体３を構成する下框２１は、内周側にパネル体４の上辺を保持するパネル体収納部２１ａを備え、外周側には下枠１１の内周面と対向する外周面部２１ｂを備えている。下框２１の室内面部２１ｃは、前述のように下枠１１の室内起立面部１１ｂと対向して室内気密材１１ｃが当接する。
【００２７】
框体３を構成する縦框２２は、内周側にパネル体４の縦辺を保持するパネル体収納部２２ａを備え、外周側には縦枠１２の内周面と対向する外周面部２２ｂを備えている。縦框２３の室内面部２２ｃには、前述のように縦枠１２の室内起立面部１２ｂと対向して室内気密材１２ｃが当接する。また、縦框２２の外周面部２２ｂの室外端部には、室外気密材２２ｄが設けられ、この室外気密材２２ｄは、縦枠１２の内周面部１２ａ室外端部に当接する。
【００２８】
このように、枠体１の内周面と框体３の内周面の間は、室内端部において上下左右の四周に渡り連続して室内気密材１０ｃ、１１ｃ、１２ｃ、１２ｃによって気密され、室外端部において上及び左右の三辺に渡り連続して室外気密材２０ｅ、２２ｄ、２２ｄによって気密されている。
【００２９】
次に、火災が発生した際に枠体１と障子２の間に隙間を生じさせないようにするための構造について詳細に説明する。図３には、上枠１０付近の拡大縦断面図を示している。この図に示すように、上枠１０の内周面部１０ａは、室内側と室外側の間に段部１０ｄを有し、段部１０ｄより室内側部分が、室外側部分より内周側に配置される。段部１０ｄの内周端部には、段部１０ｄより室内側の内周面部１０ａが室外側に向かって延出されたように形成される上遮炎壁部３０が長手方向全長に渡って設けられている。
【００３０】
上遮炎壁部３０は、全体が框体３を構成する上框２０の外周面と対向する対向面部３１となっており、対向面部３１の先端部は、室外側にかけて内周側に向かう傾斜状の傾斜面部３１ａとなっている。上遮炎壁部３０は、障子２の開閉に干渉しないように形成されている。
【００３１】
框体３を構成する上框２０は、パネル体収納部２０ａより室内側の外周面が、対向する上遮炎壁部３０及びそれより室内側の部分に沿う形状を有し、上遮炎壁部３０の対向面部３１の根元側と対向する部分は水平面となっており、上遮炎壁部３０の傾斜面部３１ａと対向する部分は、傾斜面部３１ａと同じ向きに傾斜して対向する框傾斜面部２０ｄとなっている。
【００３２】
上枠１０に設けられる室内気密材１０ｃには、通常時において上框２０の室内面部２０ｃに対して当接する部分から、外周側に向かって突出する延出ヒレ部１０ｅが形成されている。延出ヒレ部１０ｅは、通常時には上框２０には当接していない。
【００３３】
図４には、火災発生時の状態における上枠１０付近の拡大縦断面図を示している。火災が発生してサッシが高温に晒されると、アルミニウムからなる框体３の各框材は、熱伸びにより枠体１の内周面に接近する。図４はこのときの状態を表しており、この図に示すように、上框２０が枠体１の上枠１０内周面に近づくと、上框２０の外周面部２０ｂは、上遮炎壁部３０の対向面部３１に対して当接する。
【００３４】
また、上框２０の室外気密材２０ｅを設けた部分も、上枠１０の内周面部１０ａに対して当接する。上枠１０の室内気密材１０ｃは、室内起立面部１０ｂの内周端部より外周寄りに配置されているため、熱伸びが生じて上框２０の室内面部２０ｃが上方に移動しても、上枠１０の室内気密材１０ｃに対して当接した状態を維持する。このように、框体３の上辺においては、室外気密材２０ｅの位置と上遮炎壁部３０及び室内気密材１０ｃの室内外３か所で、枠体１と框体３の間が閉塞される。
【００３５】
このように、サッシの上辺では見込方向の３か所で枠体１と框体３との間を閉塞するので、サッシ室内外の火炎や空気の貫通を確実に遮蔽することができる。上遮炎壁部３０は、室内気密材１０ｃや室外気密材２０ｅが設けられる位置と異なる見込方向位置に形成されているので、室内気密材１０ｃの位置や室外気密材２０ｅの位置で万一、隙間が生じても、上遮炎壁部３０で確実に閉塞状態を維持することができる。
【００３６】
また、上遮炎壁部３０には、対向面部３１の先端部に傾斜面部３１ａが形成されていて、上框２０にもそれに対応した形状を形成していることにより、上枠１０によって上框２０を室内側に引き寄せることができ、上框２０の室内気密材１０ｃに対する当接状態を維持すると共に、上框２０に反りが発生することを防止して隙間の発生をより抑制することができる。
【００３７】
さらに、上框２０の外周面部２０ｂは、遮炎壁部３０に当接すると共に、それより室内側の部分でも上枠１０の内周面部１０ａに当接していて、広い面で両者が当接しているから、仮に反りが生じたとしても、閉塞状態を維持して隙間が生じないようにしている。
【００３８】
また、上框２０が上枠１０の内周面側に移動すると、室内気密材１０ｃの延出ヒレ部１０ｅが上框２０の室内面部２０ｃに当接し、ここでも室内気密材１０ｃの上框２０に対する当接を確保できる。これにより、火災発生時にも確実に室内気密材１０ｃが上框２０に当接し、隙間を発生させないようにすることができる。
【００３９】
図５には、下枠１１付近の拡大縦断面図を示している。この図に示すように、下枠１１と下框２１も、上枠１０及び上框２０とほぼ同様の遮炎構成を有している。下枠１１の内周面部１１ａは、室内側と室外側の間に段部１１ｄを有し、段部１１ｄより室内側部分が、室外側部分より内周側に配置される。段部１１ｄの内周端部には、段部１１ｄより室内側の内周面部１１ａが室外側に向かって延出されたように形成される下遮炎壁部３５が長手方向全長に渡って設けられている。下遮炎壁部３５は、上遮炎壁部３０と同じ見込方向位置に形成されている。
【００４０】
下遮炎壁部３５は、全体が框体３を構成する下框２１の外周面と対向する対向面部３６となっており、対向面部３６の先端部は、室外側にかけて内周側に向かう傾斜状の傾斜面部３６ａとなっている。下遮炎壁部３５は、障子２の開閉に干渉しないように形成されている。
【００４１】
框体３を構成する下框２１は、パネル体収納部２１ａより室内側の外周面が、対向する下遮炎壁部３５及びそれより室内側の部分に沿う形状を有し、下遮炎壁部３５の対向面部３６の根元側と対向する部分は水平面となっており、下遮炎壁部３５の傾斜面部３６ａと対向する部分は、傾斜面部３６ａと同じ向きに傾斜して対向する框傾斜面部２１ｄとなっている。
【００４２】
下枠１１に設けられる室内気密材１１ｃには、通常時において下框２１の室内面部２１ｃに対して当接する部分から、外周側に向かって突出する延出ヒレ部１１ｅが形成されている。延出ヒレ部１１ｅは、通常時には下框２１には当接していない。
【００４３】
図６には、火災発生時の状態における下枠１１付近の拡大縦断面図を示している。火災が発生してサッシが高温に晒され、框材が熱伸びすると、下框２１が下枠１１内周面に接近し、下框２１の外周面部２１ｂは、下遮炎壁部３５の対向面部３６に対して当接する。また、下枠１１の室内気密材１１ｃは、室内起立面部１１ｂの内周端部より外周寄りに配置されているため、熱伸びが生じて下框２１の室内面部２１ｃが下方に移動しても、下枠１１の室内気密材１１ｃに対して当接した状態を維持する。このように、框体３の下辺においては、下遮炎壁部３５及び室内気密材１１ｃの室内外２か所で、枠体１と框体３の間が閉塞される。
【００４４】
下遮炎壁部３５は、室内気密材１１ｃが設けられる位置とは見込方向位置が異なるので、見込方向位置の異なる２か所で枠体１と框体３の間を閉塞でき、火炎や空気の貫通を確実に防止することができる。また、上枠１０及び上框２０の場合と同様、下框２１の外周面部２１ｂが広い面で下枠１１の内周面部１１ａに当接していることで、隙間を生じにくくしている。さらには、下遮炎壁部３５の傾斜面部３６ａによって、下框２１を室内側に引き寄せることができるので、下枠１１によって下框２１を室内側に引き寄せると共に、下框２１の反りの発生も抑制することができる。
【００４５】
また、下框２１が下枠１１の内周面側に移動すると、室内気密材１１ｃの延出ヒレ部１１ｅが下框２１の室内面部２１ｃに当接し、ここでも室内気密材１１ｃの下框２１に対する当接を確保できる。これにより、火災発生時にも確実に室内気密材１１ｃが下框２１に当接し、隙間を発生させないようにすることができる。
【００４６】
図７には、縦枠１２付近の拡大横断面図を示している。この図に示すように、縦枠１２の内周面部１２ａには、見込方向中間位置に内周側に向かって突出する縦遮炎壁部４０が形成される。縦遮炎壁部４０は、縦枠１２の内周面部１２ａから垂直に伸びる垂直面部４１と、垂直面部４１の先端部から室外側に向かって伸びる対向面部４２とからなっている。対向面部４２は、縦框２２の外周面部２２ｂと対向し、障子２の開閉には干渉しないように形成されている。なお、反対側の縦枠１２も同様に構成されている。
【００４７】
縦枠１２の対向面部４２は、図７にも示されているように、下枠１１の対向面部３６と見込方向において重なり合うように配置されている。前述のように、上枠１０の対向面部３１と下枠１１の対向面部３６は同じ見込方向位置にあるから、枠体１には上下左右の四周に渡って見込方向に重なり合う対向面部３１、３６、４２、４２が形成されることとなる。
【００４８】
縦枠１２に設けられる室内気密材１２ｃには、通常時において縦框２２の室内面部２２ｃに対して当接する部分から、外周側に向かって突出する延出ヒレ部１２ｄが形成されている。延出ヒレ部１２ｄは、通常時には縦框２２には当接していない。
【００４９】
図８には、火災発生時の状態における縦枠１２付近の拡大横断面図を示している。火災が発生してサッシが高温に晒され、框材が熱伸びすると、縦框２２が縦枠１２内周面に接近し、縦框２２の外周面部２２ｂは、縦遮炎壁部４０の対向面部４２に対して当接する。また、縦枠１２の室内気密材１２ｃは、室内起立面部１２ｂの内周端部より外周寄りに配置されているため、熱伸びが生じて縦框２２の室内面部２２ｃが外周側に移動しても、縦枠１２の室内気密材１２ｃに対して当接した状態を維持する。また、縦框２２に設けられた室外気密材２２ｄも、縦枠１２の内周面部１２ａに対して当接する。
【００５０】
このように、サッシの縦辺では見込方向の３か所で枠体１と框体３との間を閉塞するので、サッシ室内外の火炎や空気の貫通を確実に遮蔽することができる。縦遮炎壁部４０は、室内気密材１２ｃや室外気密材２２ｄが設けられる位置と異なる見込方向位置に形成されているので、室内気密材１２ｃや室外気密材２２ｄの位置で万一、隙間が生じても、縦遮炎壁部４０で確実に閉塞状態を維持することができる。
【００５１】
また、縦框２２が縦枠１２の内周面側に移動すると、室内気密材１２ｃの延出ヒレ部１２ｄが縦框２２の室内面部２２ｃに当接し、ここでも室内気密材１２ｃの縦框２２に対する当接を確保できる。これにより、火災発生時にも確実に室内気密材１２ｃが縦框２２に当接し、隙間を発生させないようにすることができる。
【００５２】
本実施形態のサッシでは、框体３の外周面と対向する枠体１の内周面に、上下左右の四周に渡って見込方向に重なり合う対向面部３１、３６、４２、４２を形成したことにより、サッシが高温に晒されて框体３の外周面が枠体１の内周面に接近した際に、四周に渡って枠体１と框体３との間を閉塞することができ、火炎や空気の貫通を防止することができて防火性能を高くすることができる。
【００５３】
本実施形態のように、対向面部を枠体１の内周面に形成する代わりに、框体３の外周面に対向面部を形成することもできる。図９には、第２の形態の対向面部を有した縦枠１２付近の拡大横断面図を示している。図９は、火災発生時に縦框２２が縦枠１２の内周面に接近した状態を示している。この図に示すように、縦枠１２の内周面部１２ａに代わって、縦框２２の外周面部２２ｂに、縦枠１２の内周面部１２ａに向かって突出する縦遮炎壁部４０が形成されており、その先端面が通常時は縦枠１２に対して対向し、火災発生時には縦枠１２に対して当接する対向面部４２となっている。
【００５４】
このとき、サッシの上辺や下辺においては、図３や図５と同じく枠体１側に対向面部３１、３６を形成してもよいし、框体３側に対向面部を形成してもよい。いずれにしても、各対向面部は上下左右の四周に渡って見込方向位置が重なり合うように配置されていればよい。
【００５５】
図１０には、第３の形態の対向面部を有した縦枠１２付近の拡大横断面図を示している。図１０も、火災発生時に縦框２２が縦枠１２の内周面に接近した状態を示している。この図に示すように、縦枠１２の内周面部１２ａには、内周側に向かって突出する突出片４３が形成され、一方で対向する縦框２２の外周面部２２ｂには、外周側に向かって突出する縦遮炎壁部４０が形成されている。
【００５６】
縦遮炎壁部４０は、縦枠１２の突出片４３に対して室内側に隣接する見込方向位置に形成されており、火災発生時に縦框２２が縦枠１２の内周面に接近すると、図１０に示されているように、縦遮炎壁部４０が突出片４３の室内側面及び縦枠１２の内周面部１２ａに当接する。
【００５７】
このように、枠体１側と框体３側の両方に突出する部分を設けて、枠体１と框体３との間の隙間を閉塞するようにしてもよい。また、サッシの上辺や下辺も、同様に構成してもよいし、第１の形態や第２の形態のように、枠体１側または框体３側のいずれかに対向面部を形成してもよい。いずれにしても、縦遮炎壁部４０が突出片４３と当接する見込方向位置と、上下辺の対向面部または遮炎壁部が突出辺と当接する見込方向位置とが、上下左右の四周に渡って重なり合っていればよい。
【００５８】
以上、本発明の実施形態について説明したが、本発明の適用は本実施形態には限られず、その技術的思想の範囲内において様々に適用されうるものである。本実施形態では縦辷り出し窓サッシについて本発明を適用したものを示したが、窓の種類はこれに限られず、横辷り出し窓や開き窓、外倒し窓や突き出し窓など、障子が開閉自在な窓であれば、本発明を適用することができる。
【符号の説明】
【００５９】
１    枠体
２    障子
３    框体
４    パネル体
５    ハンドル
１０    上枠
１１    下枠
１２    縦枠
２０    上框
２１    下框
２２    縦框
３０    上遮炎壁部
３１    対向面部
３１ａ  傾斜面部
３５    下遮炎壁部
３６    対向面部
３６ａ  傾斜面部
４０    縦遮炎壁部
４１    垂直面部
４２    対向面部
【図１】
0005941291.tif 000002
【図２】
0005941291.tif 000003
【図３】
0005941291.tif 000004
【図４】
0005941291.tif 000005
【図５】
0005941291.tif 000006
【図６】
0005941291.tif 000007
【図７】
0005941291.tif 000008
【図８】
0005941291.tif 000009
【図９】
0005941291.tif 000010
【図１０】
0005941291.tif 000011